(57)【要約】    【課題】  集塵機内における濾布表面の吸湿現象と結露の発生による目詰まりを防止し、該濾布の長寿命化を図ることができる冷却回転ドラム用集塵装置を提供する。    【解決手段】  内部に鋳物砂及び鋳造品が投入された状態で回転されることにより該鋳物砂及び鋳造品を冷却する冷却回転ドラムの先端部に配設される冷却回転ドラム用集塵装置であって、前記冷却回転ドラムの出口に連通された除塵室と清浄空気室に仕切られた集塵機と、前記清浄空気室に連通された送風機と、前記除塵室と清浄空気室を仕切る仕切り板に吊設された複数の濾布と、前記集塵機に連通されたダンパと、を具備し、前記送風機の停止に連動して前記ダンパを開くことにより前記集塵機内の水分を含む空気を放出させる。【選択図】    図１
2007118008.tif 000002
【特許請求の範囲】
【請求項１】
内部に鋳物砂及び鋳造品が投入された状態で回転されることにより該鋳物砂及び鋳造品を冷却する冷却回転ドラムの先端部に配設される冷却回転ドラム用集塵装置であって、前記冷却回転ドラムの出口に連通された除塵室と清浄空気室に仕切られた集塵機と、前記清浄空気室に連通された送風機と、前記除塵室と清浄空気室を仕切る仕切り板に吊設された複数の濾布と、前記集塵機に連通されたダンパと、を具備し、前記送風機の停止に連動して前記ダンパを開くことにより前記集塵機内の水分を含む空気を放出させることを特徴とする冷却回転ドラム用集塵装置。
【請求項２】
前記ダンパが前記集塵機における除塵室に連通されることを特徴とする請求項１記載の冷却回転ドラム用集塵装置。
【請求項３】
内部に鋳物砂及び鋳造品が投入された状態で回転されることにより該鋳物砂及び鋳造品を冷却する冷却回転ドラムの先端部に配設される冷却回転ドラム用集塵装置であって、前記冷却回転ドラムの出口に吸引通路を介して連通された除塵室と清浄空気室に仕切られた集塵機と、前記清浄空気室に連通された送風機と、前記除塵室と清浄空気室を仕切る仕切り板に吊設された複数の濾布と、前記吸引通路に連通されたダンパと、を具備し、前記送風機の停止に連動して前記ダンパを開くことにより前記集塵機内の水分を含む空気を放出させることを特徴とする冷却回転ドラム用集塵装置。
【発明の詳細な説明】
【技術分野】
【０００１】
本発明は、冷却回転ドラム用集塵装置に関する。
【背景技術】
【０００２】
従来、鋳造後の高温状態にある鋳造品を鋳物砂と接触させて冷却を行うと共に鋳型として使用した鋳物砂の回収をする冷却回転ドラムの先端部に設けられる集塵装置は公知にされている（例えば、特許文献１参照）。
【０００３】
【特許文献１】特開平１１−１５６５２６（第１頁、第１図）
【発明の開示】
【発明が解決しようとする課題】
【０００４】
しかし、従来は設備の停止中、冷却回転ドラム内に残った鋳物砂及び製品に大気との温度差がある限り、含まれる水分は絶えず蒸発しており、この蒸発水分が集塵機内に侵入することにより濾布表面の吸湿現象と結露の発生による目詰まりが起こるという問題があった。このため、操業の終わりは冷却回転ドラムの停止から集塵機の停止までを所定時間経過させ、該集塵機を遅延停止させている。しかし、所定時間は、冷却回転ドラム内に充満している水分を多く含む空気と大気を置換するための時間と該冷却回転ドラム停止後の発生水分量の減少具合を見計らって設定しているが、その時間は経験値によって決めており理論値ではない。また場合によっては省エネ、帰宅時間等にとらわれてその時間を短縮してしまうなど徹底が困難なため、結局、濾布の目詰まりはなかなか解決せず、該濾布の短命化をまねいている。
【０００５】
本発明は、上記の問題に鑑みて成されたもので、集塵機内における濾布表面の吸湿現象と結露の発生による目詰まりを防止し、該濾布の長寿命化を図ることができる冷却回転ドラム用集塵装置を提供することを目的とする。
【課題を解決するための手段】
【０００６】
上記の目的を達成するために本発明における冷却回転ドラム用集塵装置は、内部に鋳物砂及び鋳造品が投入された状態で回転されることにより該鋳物砂及び鋳造品を冷却する冷却回転ドラムの先端部に配設される冷却回転ドラム用集塵装置であって、前記冷却回転ドラムの出口に連通された除塵室と清浄空気室に仕切られた集塵機と、前記清浄空気室に連通された送風機と、前記除塵室と清浄空気室を仕切る仕切り板に吊設された複数の濾布と、前記集塵機に連通されたダンパと、を具備し、前記送風機の停止に連動して前記ダンパを開くことにより前記集塵機内の水分を含む空気を放出させることを特徴とする。
【０００７】
また本発明における冷却回転ドラム用集塵装置は、前記ダンパが前記集塵機における除塵室に連通されることを特徴とする。
【０００８】
さらに本発明における冷却回転ドラム用集塵装置は、内部に鋳物砂及び鋳造品が投入された状態で回転されることにより該鋳物砂及び鋳造品を冷却する冷却回転ドラムの先端部に配設される冷却回転ドラム用集塵装置であって、前記冷却回転ドラムの出口に吸引通路を介して連通された除塵室と清浄空気室に仕切られた集塵機と、前記清浄空気室に連通された送風機と、前記除塵室と清浄空気室を仕切る仕切り板に吊設された複数の濾布と、前記吸引通路に連通されたダンパと、を具備し、前記送風機の停止に連動して前記ダンパを開くことにより前記集塵機内の水分を含む空気を放出させることを特徴とする。
【発明の効果】
【０００９】
本発明は、内部に鋳物砂及び鋳造品が投入された状態で回転されることにより該鋳物砂及び鋳造品を冷却する冷却回転ドラムの先端部に配設される冷却回転ドラム用集塵装置であって、前記冷却回転ドラムの出口に連通された除塵室と清浄空気室に仕切られた集塵機と、前記清浄空気室に連通された送風機と、前記除塵室と清浄空気室を仕切る仕切り板に吊設された複数の濾布と、前記集塵機に連通されたダンパと、を具備し、前記送風機の停止に連動して前記ダンパを開くことにより前記集塵機内の水分を含む空気を放出させるようにしたから、集塵機内における濾布表面の吸湿現象と結露の発生による目詰まりを防止し、該濾布の長寿命化を図ることができる等種々の効果がある。
【発明を実施するための最良の形態】
【００１０】
以下、本発明の実施の形態を図面に基づいて詳しく説明する。図１において、内部に鋳物砂Ｓ及び鋳造品Ｗが投入された状態で回転されることにより該鋳物砂Ｓ及び鋳造品Ｗを冷却する冷却回転ドラム１の先端部の上方には、集塵機２が配設されている。なお集塵機２内部には仕切り板２ａが取り付けられており、この仕切り板２ａにより該内部は除塵室２ｂと清浄空気室２ｃに仕切られている。
【００１１】
また前記清浄空気室２ｃには送風機３が連通されており、前記仕切り板２ａには複数の濾布２ｄ、２ｄが吊設されている。また前記冷却回転ドラム１の出口１ａは吸引通路６を介して前記除塵室２ｂに連通されている。なお該吸引通路６はフード４及びダクト５により構成される。そして、該吸引通路６にはダンパ７が連通されており、本実施形態では該ダンパ７は前記吸引通路６の一部を構成する前記ダクト５の上部に取り付けられている。
【００１２】
このように構成されたものの作動について説明する。まず、回転される冷却回転ドラム１内に、その入口１ｂから鋳物砂Ｓ及び鋳造品Ｗが投入される。そして、該鋳物砂Ｓ及び鋳造品Ｗは冷却回転ドラム１の回転に伴い、該冷却回転ドラム１の先端に向かって進んでいく。なお冷却回転ドラム１内には図示されない注水手段により注水がなされるようになっており、該注水された状態で鋳造品Ｗが転動されながら鋳物砂Ｓと繰り返し接触されることにより該鋳造品Ｗが冷却される。
【００１３】
そして、冷却回転ドラム１の先端まで到達した鋳造品Ｗは出口１ａから排出され、図示されないコンベヤで次工程に送られる。また冷却回転ドラム１の先端部には図示されない多数の小孔が穿孔されており、鋳物砂Ｓは、この小孔から該先端部の下方に排出され、図示されない回収手段で回収される。
【００１４】
そして、該冷却回転ドラム１の回転作動中には送風機３も一緒に作動される。この送風機３の作動により、冷却回転ドラム１の入口１ｂから大気が吸い込まれ、含塵空気が出口１ａから排出される。なお本実施形態では、出口１ａから排出された含塵空気は吸引通路６、即ち、フード４及びダクト５を通って除塵室２ｂに流入されるようになっている。
【００１５】
そして、該除塵室２ｂに流入された含塵空気は複数の濾布２ｄ、２ｄで濾過され、清浄空気として清浄空気室２ｃに流入される。その後、該清浄空気室２ｃに流入された該清浄空気は送風機３によって大気に放出される。また濾布２ｄ、２ｄの外表面に付着した粉塵は図示されない払い落とし手段により払い落とされ、鋳物砂Ｓを回収する前記図示されない回収手段に回収される。なお送風機３作動中はダンパ７は閉じられている。
【００１６】
そして、例えば、一日の操業の終わりには冷却回転ドラム１が停止される。その後、送風機３の作動が停止されると、該送風機３の停止に連動してダンパ７が開かれ、集塵機２内及び冷却回転ドラム１内より発生する水分を含む空気が該ダンパ７から大気に放出される。そして、例えば、次の日の操業の始めには冷却回転ドラム１及び送風機３が作動されるが、このとき、送風機３の作動に連動してダンパ７は閉じられる。
【００１７】
本発明では、集塵機２内の水分を含む空気を放出させるダンパ７を設け、送風機３の停止に連動して該ダンパ７を開くようにしている。これにより、冷却回転ドラム１の停止中に蒸発する水分を含む空気を送風機３の停止中にダンパ７から集塵機２外へ放出することができる。このため、集塵機２内における濾布２ｄ、２ｄ表面の吸湿現象と結露の発生による目詰まりを防止し、該濾布２ｄ、２ｄの長寿命化を図ることができる。また該ダンパ７からの前記水分を含む空気の放出は送風機３の停止中に行われるため、送風機３の作動時間を減少させることができる。
【００１８】
なお本発明の実施形態では、ダンパ７を吸引通路６に連通させたが、これに限定されるものではなく、該ダンパ７を集塵機２、即ち、除塵室２ｂ又は清浄空気室２ｃに連通させるようにしてもよい。ただし、ダンパ７を除塵室２ｂに連通させると、前記水分を含む空気を濾布２ｄ、２ｄを通過する前に集塵機２外へ放出することができ、水分が濾布２ｄ、２ｄに及ぼす影響をより少なくできるため好ましい。また上述の実施形態のようにダンパ７を吸引通路６に連通させると、前記水分を含む空気を除塵室２ｂ内に流入する前に集塵機２外へ放出することができ、水分が濾布２ｄ、２ｄに及ぼす影響をさらに少なくできるため、さらに好ましい。
【図面の簡単な説明】
【００１９】
【図１】本発明の実施形態を示す正面断面図である。
【符号の説明】
【００２０】
１  冷却回転ドラム
１ａ  出口
２  集塵機
２ａ  仕切り板
２ｂ  除塵室
２ｃ  清浄空気室
２ｄ  濾布
３  送風機
６  吸引通路
７  ダンパ
Ｓ  鋳物砂
Ｗ  鋳造品
【図１】
2007118008.tif 000003